(57)【特許請求の範囲】
【請求項１】
ゴルフクラブのクラブヘッドの状態に関する情報を計測するために用いられ、前記クラブヘッドに設けられるクラブヘッド計測用マークであって、
周囲よりも明度が低いパターンから形成される中央部と、前記中央部の周囲を囲むように設けられ、前記中央部よりも明度が高いパターンから形成される周囲部とを備えたクラブヘッド計測用マーク。
【請求項２】
前記中央部が円形であり、前記周囲部がドーナツ形状であり、
前記周囲部の幅が、前記中央部の半径よりも小さい請求項１記載のクラブヘッド計測用マーク。
【請求項３】
前記中央部の最大輝度値が３２以下であって、前記中央部の最大輝度値と最小輝度値の差が１５以下である請求項１または２記載のクラブヘッド計測用マーク。
【請求項４】
前記中央部と前記周囲部とから構成されるドーナツ形状マークが２つ並べられて一体的に構成されている請求項１から３いずれか１項記載のクラブヘッド計測用マーク。
【請求項５】
前記クラブヘッドに貼付可能なように糊が塗布されたシールである請求項１から４いずれか１項記載のクラブヘッド計測用マーク。
【請求項６】
請求項１から５いずれか１項記載のクラブヘッド計測用マークが設けられたクラブヘッドを有するゴルフクラブをスイングした際に、前記クラブヘッドを時系列に撮影した撮影画像を取得し、該各撮影画像から前記クラブヘッド計測用マークを検出するマーク検出部と、
前記マーク検出部によって検出された前記クラブヘッド計測用マークに基づいて、前記クラブヘッドの状態に関する情報を生成するヘッド情報生成部とを備えた画像処理装置。
【請求項７】
前記マーク検出部が、所定の前記撮影画像から前記クラブヘッド計測用マークが予め設定された個数よりも多く検出された場合には、前記クラブヘッド計測用マークが予め設定された個数だけ検出されたその他の撮影画像の前記クラブヘッド計測用マークの情報に基づいて、前記所定の撮影画像に含まれる前記クラブヘッド計測用マークを特定する請求項６記載の画像処理装置。
【発明の詳細な説明】
【技術分野】
【０００１】
本発明は、ゴルフクラブのクラブヘッドの状態に関する情報を計測するために用いられるクラブヘッド計測用マークおよびそのクラブヘッド計測用マークをその撮影画像から検出する画像処理装置に関するものである。
【背景技術】
【０００２】
従来、ゴルファーのスイングを撮影して、その撮影情報を提供する装置が種々提案されている。スイングの撮影情報をゴルファーに提供することによって、ゴルフの上達を促したり、そのゴルファーに適したゴルフクラブの選択を促すことができる。
【０００３】
上述した装置として、たとえば特許文献１には、ゴルフクラブをスイングしたときのゴルフクラブとゴルフボールとを上から撮影し、その撮影されたクラブヘッドとゴルフボールの画像を、実物大で床面に投影表示させることが提案されている。
【先行技術文献】
【特許文献】
【０００４】
【特許文献１】特開２０１８−６１７２９号公報
【発明の概要】
【発明が解決しようとする課題】
【０００５】
ここで、ゴルファーのスイングで重要な要素として、クラブヘッドのフェイス面の動きやスイング中におけるクラブヘッドの速度などがある。スイング中のクラブヘッドのフェイス面の動きやクラブヘッドの速度を認識することによって、ゴルファーのスイングの特徴を把握することができ、また、その特徴に合わせたゴルフクラブを選択することができる。
【０００６】
しかしながら、たとえば特許文献１のように移動中のクラブヘッドを上方から撮影しただけでは、その撮影画像からクラブヘッドの位置やフェイス面を高精度に検出することは難しく、クラブヘッドの速度やフェイス面の動きなどといったクラブヘッドの状態に関する情報を高精度に得ることは難しい。
【０００７】
本発明は、上記の問題に鑑み、クラブヘッドの状態に関する情報を高精度に得ることができるクラブヘッド計測用マークおよび画像処理装置を提供することを目的とする。
【課題を解決するための手段】
【０００８】
本発明のクラブヘッド計測用マークは、ゴルフクラブのクラブヘッドの状態に関する情報を計測するために用いられ、クラブヘッドに設けられるクラブヘッド計測用マークであって、周囲よりも明度が低いパターンから形成される中央部と、中央部の周囲を囲むように設けられ、中央部よりも明度が高いパターンから形成される周囲部とを備える。
【０００９】
また、上記本発明のクラブヘッド計測用マークは、中央部を円形とし、周囲部をドーナツ形状とすることができ、周囲部の幅を、中央部の半径よりも小さくすることが好ましい。
【００１０】
また、上記本発明のクラブヘッド計測用マークは、中央部の最大輝度値を３２以下とし、中央部の最大輝度値と最小輝度値の差を１５以下とすることが好ましい。
【００１１】
また、上記本発明のクラブヘッド計測用マークは、中央部と周囲部とから構成されるドーナツ形状マークを２つ並べて一体的に構成することができる。
【００１２】
また、上記本発明のクラブヘッド計測用マークは、クラブヘッドに貼付可能なように糊が塗布されたシールとすることが好ましい。
【００１３】
本発明の画像処理装置は、上記クラブヘッド計測用マークが設けられたクラブヘッドを有するゴルフクラブをスイングした際に、クラブヘッドを時系列に撮影した撮影画像を取得し、その各撮影画像からクラブヘッド計測用マークを検出するマーク検出部と、マーク検出部によって検出されたクラブヘッド計測用マークに基づいて、クラブヘッドの状態に関する情報を生成するヘッド情報生成部とを備える。
【００１４】
また、上記本発明の画像処理装置において、マーク検出部は、所定の前記撮影画像からクラブヘッド計測用マークが予め設定された個数よりも多く検出された場合には、クラブヘッド計測用マークが予め設定された個数だけ検出されたその他の撮影画像のクラブヘッド計測用マークの情報に基づいて、所定の撮影画像に含まれるクラブヘッド計測用マークを特定する。
【発明の効果】
【００１５】
本発明のクラブヘッド計測用マークおよび画像処理装置によれば、周囲よりも明度が低いパターンから形成される中央部と、中央部よりも明度が高いパターンから形成される周囲部とを備えるようにしたので、クラブヘッドの状態に関する情報を高精度に得ることができる。
【図面の簡単な説明】
【００１６】
【図１】本発明の画像処理装置の一実施形態を用いたゴルフインパクト解析システムの概略構成を示す図
【図２】クラブヘッドに設けられたドーナツ形状マークの一例を示す図
【図３】ドーナツ形状マークの詳細を説明するための図
【図４】撮影画像からドーナツ形状マークを検出する方法の一例を説明するためのフローチャート
【図５】撮影画像からドーナツ形状マークを検出する方法の一例を説明するためのフローチャート
【図６】ラプラシアンフィルタ処理前の撮影画像の一例を示す図
【図７】ラプラシアンフィルタ処理済みの撮影画像の一例を示す図
【図８】濃淡反転処理後の切り出し画像の一例を示す図
【図９】２値化レベル（閾値）を±６の範囲で変化させた場合の２値化処理結果の一例を示す図
【図１０】１回のゴルフクラブのスイングによって生成されたフェイス面画像の群と軌道画像の投影表示例を示す図
【図１１】２回のゴルフクラブのスイングによって生成されたフェイス面画像の群および軌道画像ＴＧの投影表示例を示す図
【図１２】クラブヘッド計測用マークのその他の例を示す図
【図１３】５種類の黒色シートを撮影した撮影画像の例を示す図
【発明を実施するための形態】
【００１７】
以下、本発明のクラブヘッド計測用マークおよび画像処理装置の一実施形態を用いたゴルフインパクト解析システムについて、図面を参照しながら詳細に説明する。本実施形態のゴルフインパクト解析システムは、クラブヘッドの状態に関する情報を計測するためのクラブヘッド計測用マークに特徴を有するものであるが、まずは、ゴルフインパクト解析システム全体について説明する。図１は、本実施形態のゴルフインパクト解析システム１の概略構成図である。
【００１８】
本実施形態のゴルフインパクト解析システム１は、図１に示すように、撮影装置１０と、画像処理装置２０と、投影装置３０とを備えている。撮影装置１０と画像処理装置２０との間および画像処理装置２０と投影装置３０との間は、有線または無線によって通信可能に接続されており、種々の信号のやり取りが可能に構成されている。
【００１９】
撮影装置１０は、ゴルファー４０がゴルフクラブ４１をスイングした際のそのゴルフクラブ４１のクラブヘッド４１ａを上方から撮影する。撮影装置１０は、ゴルフクラブ４１をスイングするゴルファー４０よりも上方に設置され、クラブヘッド４１ａが床面の近傍を通過する範囲を撮影可能なように、上記範囲の真上に設置される。具体的には、撮影装置１０は、たとえば床面上に予め設定されたゴルフボール４２の設置位置Ｐを中心近傍に含む所定の撮影範囲Ｒの真上に設置される。撮影装置１０は、たとえばスタンドなどの支持部材に設置してもよいし、天井に設置するようにしてもよい。
【００２０】
撮影装置１０は、照明部１１と、カメラ部１２とを備えている。本実施形態の照明部１１は、赤外光源を有し、その赤外光源から発せられた赤外光を上記撮影範囲Ｒに照射する。また、カメラ部１２は、ＣＭＯＳ（Complementary metal-oxide-semiconductor）イメージセンサやＣＣＤ（Charge-coupled devices）イメージセンサなどの撮像素子と、その撮像素子の前面に配置されたＩＲフィルタを有する。ＩＲフィルタは、可視光を吸収し、赤外光を透過する光学フィルタである。
【００２１】
撮影装置１０は、画像処理装置２０の後述する制御部２２から出力された制御信号に基づいて、照明部１１から赤外光を出射し、カメラ部１２によって上記撮影範囲Ｒの撮影を行う。具体的には、撮影装置１０は、所定のフレームレートで照明部１１から赤外光を出射するとともに、上記撮影範囲Ｒを通過するクラブヘッド４１ａを撮影する。撮影装置１０によって所定のフレームレートで撮影された撮影画像は、画像処理装置２０に出力される。
【００２２】
画像処理装置２０は、コンピュータなどから構成され、ＣＰＵ（Central Processing Unit）、ＲＯＭ（Read Only Memory）およびＲＡＭ（Random access memory）などの半導体メモリ、ハードディスクなどのストレージ、並びに通信Ｉ／Ｆなどのハードウェアを備える。
【００２３】
画像処理装置２０は、画像生成部２１と、制御部２２と、表示部２３と、入力部２４とを備えている。
【００２４】
画像処理装置２０の半導体メモリまたはハードディスクには、ゴルフインパクト解析プログラムがインストールされている。そして、このプログラムがＣＰＵによって実行されることによって、上述した画像生成部２１および制御部２２が機能する。なお、本実施形態においては、上述した各部の機能を全てゴルフインパクト解析プログラムによって実行するようにしたが、これに限らず、一部または全部の機能をＡＳＩＣ（Application Specific Integrated Circuit）やＦＰＧＡ（Field-Programmable Gate Array）、その他の電気回路などのハードウェアから構成するようにしてもよい。
【００２５】
以下、画像処理装置２０の各部について詳細に説明する。
【００２６】
画像生成部２１は、撮影装置１０によって時系列に撮影された複数のクラブヘッド４１ａの撮影画像を取得し、その取得した複数の撮影画像に基づいて、各クラブヘッド４１ａのフェイス面を直線で表したフェイス面画像の群を生成する。なお、本明細書全体通してフェイス面という言葉を使用しているが、このフェイス面は、クラブヘッド４１ａにおいてゴルフボールがインパクトする面のことを意味するが、フェース面という言葉で表されることもある。すなわち本明細書で使用されているフェイス面とフェース面は同じ意味である。また、本実施形成の画像生成部２１は、本発明のマーク検出部およびヘッド情報生成部に相当する。
【００２７】
具体的には、ゴルファー４０がスイングするゴルフクラブ４１のクラブヘッド４１ａの上面には、図２に示すように、フェイス面４１ｂの指標となる２つのドーナツ形状（二重丸型）マークＭ１，Ｍ２が設けられる。ドーナツ形状マークＭ１，Ｍ２は、本発明のクラブヘッド計測用マークに相当するものである。
【００２８】
ドーナツ形状マークＭ１，Ｍ２は、クラブヘッド４１ａに貼付可能なように糊が塗布されたシールである。そして、ドーナツ形状マークＭ１，Ｍ２は、クラブヘッド４１ａの上面に、フェイス面４１ｂに沿って所定の間隔を空けて貼付される。
【００２９】
ドーナツ形状マークＭ１，Ｍ２は、図３に示すように、周囲よりも明度が低いパターンから形成される中央部Ｃと、中央部Ｃの周囲を囲むように設けられ、中央部Ｃよりも明度が高いパターンから形成される周囲部Ｐｈとを備える。
【００３０】
本実施形態では、ドーナツ形状マークＭ１，Ｍ２の中央部Ｃは円形のパターンで形成され、周囲部Ｐｈはドーナツ形状で形成される。そして、中央部Ｃは黒色で塗りつぶされており、周囲部Ｐｈは白色である。
【００３１】
そして、本実施形態のドーナツ形状マークＭ１，Ｍ２は、その周囲部Ｐｈの幅ｗが、中央部Ｃの半径ｒよりも小さくなるように形成されている。周囲部Ｐｈの幅ｗは、中央部Ｃの半径ｒの１／２以下であることが好ましく、より好ましくは１／３以下である。具体的には、たとえば周囲部Ｐｈの幅ｗを１．５ｍｍとし、中央部Ｃの半径ｒを４．５ｍｍとすることができる。
【００３２】
このように周囲部Ｐｈの幅ｗを中央部Ｃの半径ｒよりも小さくなるようにする理由は、周囲部Ｐｈの幅ｗが大きい場合、撮影装置１０によって撮影した際、その撮影画像において周囲部Ｐｈの画像が白飛びし、中央部Ｃの検出精度に影響を与える場合があるからである。
【００３３】
本実施形態では、周囲部Ｐｈの幅ｗを中央部Ｃの半径ｒよりも小さくすることによって、上述した白飛びの影響を抑制することができ、中央部Ｃの検出精度を向上させることができる。
【００３４】
また、上述したように中央部Ｃは黒色で形成されるが、黒色で形成したとしてもその材料等によっては、撮影装置１０によって撮影した際、中央部Ｃにおいて赤外光が反射し、中央部Ｃの検出精度に影響を及ぼす。したがって、中央部Ｃの材料としては、中央部Ｃの撮影画像の最大輝度値が３２以下であり、かつ最大輝度値と最小輝度値との差が１５以下であることが好ましい。なお、撮影画像の各画素は８ビット（２５６階調）であり、輝度値は０−２５５の値をとるものとする。また、輝度値の測定条件については、後の実施例および比較例において説明する。
【００３５】
上述した輝度値の範囲となるように中央部Ｃの材料を選択することによって、中央部Ｃにおける赤外光の反射を抑制することができ、中央部Ｃの検出精度を向上させることができる。
【００３６】
画像生成部２１は、時系列に撮影された各撮影画像から、上述したドーナツ形状マークＭ１，Ｍ２を検出する。そして、画像生成部２１は、ドーナツ形状マークＭ１の中央部Ｃの中心とドーナツ形状マークＭ２の中央部Ｃの中心とを直線で結ぶことによって、フェイス面４１ｂを直線で表したフェイス面画像を生成する。
【００３７】
ここで、撮影画像からドーナツ形状マークＭ１，Ｍ２を検出する方法について、図４および図５に示すフローチャートを参照しながら説明する。
【００３８】
まず、撮影画像に対してラプラシアンフィルタ処理を施すことによってエッジ強調処理を施す（Ｓ１０）。ラプラシアンフィルタとしては、たとえば３×３のフィルタが用いられる。図６は、ラプラシアンフィルタ処理前の撮影画像の一例を示す図であり、図７は、ラプラシアンフィルタ処理済みの撮影画像の一例を示す図である。図６に示すように、撮影画像中には、ドーナツ形状マークＭ１，Ｍ２の他に、ゴルフボールの反射画像やクラブヘッド４１ａによる反射と思われる輝点も含まれているが、上述したラプラシアンフィルタ処理を行うことによって、これらを薄くすることができ、ドーナツ形状マークＭ１，Ｍ２の誤検知を減らすことができる。
【００３９】
そして、ラプラシアンフィルタ処理が施された撮影画像に対して２値化処理が施される（Ｓ１２）。２値化処理としては、たとえば判別分析法による２値化処理（大津の２値化処理）が施される。
【００４０】
続いて、２値化処理が施された撮影画像に対してオープニング処理が施される（Ｓ１４）。これにより、ドーナツ形状マークＭ１，Ｍ２以外の小さいパターンや細いパターンを除去したり、ドーナツ形状マークＭ１，Ｍ２をより明確にすることができる。
【００４１】
次に、オープニング処理が施された撮影画像に対してラベリング処理が施される（Ｓ１６）。
【００４２】
そして、ラベリング処理によって生成されたラベル数が１００以上である場合には（Ｓ１８，ＮＯ）、ドーナツ形状マークＭ１，Ｍ２を適切に検出できていないものとして処理を終了する。
【００４３】
一方、ラベル数が１００未満である場合には（Ｓ１８，ＹＥＳ）、ラベル毎の領域を３倍した範囲を決定し、その範囲に含まれる撮影画像（図６に示す撮影画像の一部）を切り出す（Ｓ２０）。
【００４４】
そして、Ｓ２０で切り出された各画像（以下、切り出し画像という）に対して、２×２の膨張フィルタ処理が施される（Ｓ２２）。各切り出し画像内には、ドーナツ形状マークＭ１，Ｍ２の周囲部Ｐｈの白い部分が含まれるが、この白い部分が途中で途切れて検出される場合もある。上述した膨張フィルタ処理を切り出された各画像に施すことによって、上述した途切れを無くすことができ、周囲部Ｐｈの検出精度を上げることができる。
【００４５】
そして、上述した各切り出し画像に対して膨張フィルタ処理を施した後、所定のラベルに対応する切り出し画像の最大輝度値が３０以下の場合には（Ｓ２２，ＮＯ）、次のラベルに対応する切り出し画像に移行し、最大輝度値が３０を超える場合には（Ｓ２２，ＹＥＳ）、そのラベルに対応する切り出し画像は、ドーナツ形状マークＭ１，Ｍ２である可能性があるので、ドーナツ形状マークＭ１，Ｍ２の候補として残す（Ｓ２８）。なお、最大輝度値が３０以下の切り出し画像については、ドーナツ形状マークＭ１，Ｍ２の候補とせず、以降の処理は行わない。
【００４６】
次いで、Ｓ２０で切り出した切り出し画像のうち、ドーナツ形状マークＭ１，Ｍ２の候補として残った切り出し画像に対して濃淡反転処理を施す（Ｓ３０）。図８は、濃淡反転処理が施された切り出し画像の一例を示す図である。
【００４７】
そして、濃淡反転処理が施された切り出し画像に対して、２値化処理が施される（Ｓ３２）。２値化処理としては、たとえば判別分析法による２値化処理（大津の２値化処理）が施される。
【００４８】
次いで、Ｓ３２の２値化処理で用いた２値化レベル（閾値）を中心とした±６の範囲において２ピッチ間隔で２値化レベルを変化させて再び２値化処理を施す（Ｓ３４）。これにより、１つの切り出し画像に対して、図９に示すような７つの２値化画像が生成される。そして、２値化画像の白い部分をマスクして再度ラベリングを行う（Ｓ３６）。
【００４９】
その後、各２値化画像の中心に最も近いラベルの輪郭を抽出する（Ｓ３８）。そして、Ｓ３８で抽出した輪郭を楕円フィッティングする（Ｓ４０）。そして、７つの２値化画像についてそれぞれ抽出された楕円の面積の中央値を求め、その中央値の楕円と、中央値から大きい方に向かって２番目までの楕円と、中央値から小さい方に向かって２番目までの楕円とについて、すなわち７つの抽出された楕円のうち面積が最も大きい楕円と最も小さい楕円を除く５つの楕円について、その高さおよび幅の平均値を求める。なお、楕円の高さおよび幅とは、撮影画像の座標系をｘ，ｙの２次元座標とした場合、高さはｙ方向の長さ、幅はｘ方向の長さである。
【００５０】
そして、楕円の平均値の高さおよび幅が予め設定された閾値の範囲内であり、かつその楕円に対応する切り出し画像内の部分の輝度値が１００以上である場合には、その輪郭をドーナツ形状マークＭ１，Ｍ２として認識する（Ｓ４２）。
【００５１】
上述したＳ１０〜Ｓ４２を各撮影画像に施し、各撮影画像に含まれるドーナツ形状マークＭ１，Ｍ２を検出する。
【００５２】
ここで、本実施形態のようにドーナツ形状マークＭ１，Ｍ２ではなく、たとえば単純な丸、点または線などが一様の同一色のマークをクラブヘッド４１ａに添付した場合、機械的な画像処理を用いて白黒画像上のマーク位置認識を行う場合、２値化判定処理などで弊害がある。具体的には、真上から照射された近赤外線照明が、上記マーク以外の部分にあたって反射される反射光と、マークから反射された反射光とが白黒画像上において見分けが付かなくなり、マークの位置を誤認識しやすくなる。すなわち、クラブヘッドの状態に関する情報を高精度に得ることは難しい。
【００５３】
また、上述したようなマーク以外の部分からの反射を防止するため、クラブヘッド４１ａの撮影範囲の面全体に対して黒色のシールを貼り、その上に白色の丸のシールを貼って画像処理によって検出方法も考えられるが、比較的大きな黒色のシールをクラブヘッド４１ａに貼る必要があるため、クラブヘッド４１ａの表面に黒色のシールの糊が残ってしまう問題があり、使い勝手が良くない。
【００５４】
これに対し、本実施形態のドーナツ形状マークＭ１，Ｍ２は、周囲よりも明度が低いパターンから形成される中央部Ｃと、中央部Ｃよりも明度が高いパターンから形成される周囲部Ｐｈとを備える。すなわち、たとえばクラブヘッド４１ａの撮影の際に均一照明を与えた場合、クラブヘッド４１ａからの光の反射の特性として、ドーナツ形状マークＭ１，Ｍ２以外の箇所の反射は、その反射部の中央の明度が最も明るくなるが、本実施形態のドーナツ形状マークＭ１，Ｍ２は、中央部Ｃの明度が低く、周囲部Ｐｈの明度が高いので、上記反射部と明確に区別することができる。したがって、上述したような誤認識を回避することができ、クラブヘッドの状態に関する情報を高精度に得ることができる。
【００５５】
また、ドーナツ形状マークＭ１，Ｍ２は、クラブヘッド４１ａの大きさに対して小さいシールで形成することができるので、大きな黒色のシールをクラブヘッド４１ａに貼った場合のような糊残りを防止することができ、使い勝手も良い。
【００５６】
なお、本来であれば、上述したドーナツ形状マークＭ１，Ｍ２の検出処理を行うことによって、１枚の撮影画像に対して２つのドーナツ形状マークＭ１，Ｍ２が検出されるはずである。しかしながら、たとえばクラブヘッド４１ａの反射などによって３つ以上のパターンが、ドーナツ形状マークとして検出される可能性がある。このような場合において、２つのドーナツ形状マークＭ１，Ｍ２を特定する処理について、以下に説明する。
【００５７】
まず、画像生成部２１は、クラブヘッド４１ａがゴルフボール４２にインパクトする時点の直前の撮影画像と直後の撮影画像を特定し、これらの撮影画像から２つのドーナツ形状マークＭ１，Ｍ２のみが検出されているか否かを確認する。
【００５８】
そして、画像生成部２１は、これらの撮影画像から２つのドーナツ形状マークＭ１，Ｍ２のみが検出されている場合には、その検出されているドーナツ形状マークＭ１，Ｍ２の高さおよび幅と、ドーナツ形状マークＭ１とドーナツ形状マークＭ２との距離を算出する。
【００５９】
そして、３つ以上のパターンがドーナツ形状マークとして検出された撮影画像については、その３つのパターンのうち、上述したドーナツ形状マークＭ１，Ｍ２の高さおよび幅と、ドーナツ形状マークＭ１とドーナツ形状マークＭ２との距離が最も近い２つのパターンを特定し、その２つのパターンをドーナツ形状マークＭ１，Ｍ２として検出する。
【００６０】
なお、クラブヘッド４１ａがゴルフボール４２にインパクトする時点の直前の撮影画像と直後の撮影画像の両方において、３つ以上のパターンが検出されている場合には、さらにインパクトの時点を起点として、前後方向に１フレームずつ順次進めた撮影画像を特定し、２つのドーナツ形状マークＭ１，Ｍ２のみが検出されているか否かを確認するようにすればよい。
【００６１】
以上、画像生成部２１によるフェイス面画像の群を生成について説明したが、画像生成部２１は、フェイス面画像の群の他に、クラブヘッド４１ａの軌道を線で表した軌道画像を生成する。
【００６２】
具体的には、画像生成部２１は、各撮影画像からクラブヘッド４１ａの画像部分を抽出し、その抽出したクラブヘッド４１ａの各画像部分の中心位置を算出し、算出した複数の中心位置を結んで曲線近似することによって軌道画像を生成する。
【００６３】
次に、図１に戻り、制御部２２は、ＣＰＵを備え、ゴルフインパクト解析システム１全体を制御する。具体的には、制御部２２は、通信Ｉ／Ｆを介して撮影装置１０と通信し、撮影装置１０に対して撮影開始タイミングや撮影のフレームレートなどを指示する制御信号を出力する。
【００６４】
撮影開始タイミングについては、たとえばユーザが、マウスやキーボードなどを有する入力部２４を用いて指示入力するようにしてもよいし、撮影範囲Ｒ内のゴルフボールの設置位置Ｐにゴルフボール４２が設置されたことを検出し、その検出信号に応じて撮影開始するようにしてもよい。ゴルフボール４２の設置検出については、接触センサや光学センサを用いてもよいし、撮影装置１０によって撮影された撮影画像を利用するようにしてもよい。撮影画像を利用する方法としては、たとえばゴルフクラブ４１のスイングが開始される前に、撮影装置１０によって撮影範囲の前撮影を行う。前撮影によって撮影された撮影画像は制御部２２に入力される。
【００６５】
そして、制御部２２は、撮影画像内の予め設定された位置にゴルフボール４２の画像が現れたことを検出することによって、ゴルフボール４２の設置を検出する。制御部２２は、ゴルフボール４２の設置に応じて本撮影を開始し、クラブヘッド４１ａの撮影を開始する。
【００６６】
また、制御部２２は、画像生成部２１によって生成されたフェイス面画像の群と軌道画像を投影装置３０に出力し、投影装置３０によって床面に対してフェイス面画像の群と軌道画像を投影表示させる。
【００６７】
図１０は、１回のゴルフクラブ４１のスイングによって生成されたフェイス面画像ＦＧの群と軌道画像ＴＧの投影表示例を示す図である。投影装置３０は、床面に対して、たとえば図１０に示すようにフェイス面画像ＦＧの群と軌道画像ＴＧとを投影表示する。なお、図１０に示すＣＧは、クラブヘッドを表す３次元オブジェクト画像である。
【００６８】
３次元オブジェクト画像ＣＧとは、撮影装置１０によって撮影された撮影画像とは異なり、クラブヘッドを模式的に３次元画像として表した画像である。このクラブヘッドを表す３次元オブジェクト画像ＣＧも画像生成部２１によって生成される。そして、制御部２２が、その３次元オブジェクト画像ＣＧを投影装置３０に出力し、投影装置３０によって床面に投影表示される。
【００６９】
図１０においては、軌道画像ＴＧ上の所定の位置のクラブヘッドの３次元オブジェクト画像ＣＧを示しているが、投影装置３０が、制御部２２による制御により、軌道画像ＴＧの線に沿って３次元オブジェクト画像ＣＧを移動させてアニメーション表示するようにしてもよい。
【００７０】
また、図１０においては、１回のスイングによるフェイス面画像ＦＧの群と軌道画像ＴＧを投影表示した例であるが、２回以上のスイングよるフェイス面画像の群と軌道画像とを重ねて投影表示するようにしてもよい。図１１は、１回目のスイングによるフェイス面画像ＦＧ１の群および軌道画像ＴＧ１の組と、２回目のスイングによるフェイス面画像ＦＧ２の群と軌道画像ＴＧ２の組を投影表示した例である。１回目のスイングによるフェイス面画像ＦＧ１の群および軌道画像ＴＧ１の組と、２回目のスイングによるフェイス面画像ＦＧ２の群と軌道画像ＴＧ２の組とは、異なる色で投影表示することが好ましい。
【００７１】
また、制御部２２は、画像生成部２１によって生成されたフェイス面画像の群と軌道画像を、画像処理装置２０の表示部２３にも表示させる。
【００７２】
表示部２３は、たとえば液晶ディスプレイなどの表示デバイスを備える。また、入力部２４は、たとえばマウスやキーボードなどの入力デバイスを備える。また、画像処理装置２０をタブレット端末から構成し、表示部２３および入力部２４をタッチパネルから構成するようにしてもよい。
【００７３】
次に、投影装置３０は、プロジェクタから構成され、上述したように画像処理装置２０の制御部２２による制御によって、床面に対してフェイス面画像の群および軌道画像を投影表示する。投影装置３０は、ゴルフクラブ４１をスイングするゴルファーよりも上方又は、短焦点・近接レンズなどを用いて下方に設置され、撮影装置１０に隣接させて設置される。また、投影装置３０は、フェイス面画像の群および軌道画像を床面上に対して、十分な明るさかつ明瞭に表示可能な投射距離と輝度を有する。
【００７４】
投影装置３０は、床面上のゴルフボール４２の設置位置Ｐを中心近傍に含む所定の投影範囲にフェイス面画像の群および軌道画像を投影表示可能なように設置される。投影装置３０は、たとえば撮影装置１０とともにスタンドなどの支持部材に設置してもよいし、天井に設置するようにしてもよい。
【００７５】
また、投影装置３０は、上述したように床面に対してクラブヘッドの３次元オブジェクト画像を投影表示する。
【００７６】
なお、上記実施形態においては、ドーナツ形状マークＭ１，Ｍ２が設けられたクラブヘッド４１ａを撮影装置１０によって真上から撮影するようにしたが、これに限らず、たとえば撮影装置１０として、ステレオカメラを設け、ドーナツ形状マークＭ１，Ｍ２が設けられたクラブヘッド４１ａをステレオ撮影するようにしてもよい。
【００７７】
これにより、ドーナツ形状マークＭ１，Ｍ２の３次元空間上の位置を検出することができ、クラブヘッド４１ａの動きをより詳細に解析することができる。
【００７８】
また、上記実施形態においては、ドーナツ形状マークＭ１とドーナツ形状マークＭ２とを別々に構成するようにしたが、これに限らず、図１２に示すように、たとえばクラブヘッド４１ａのフェイス面の長さと同程度の長さの長方形のシールの両端部にドーナツ形状マークＭ１とドーナツ形状マークＭ２を２つ並べて配置することによって一体的に構成するようにしてもよい。このように構成することによって、ドーナツ形状マークＭ１，Ｍ２が設けられた長方形のシールの長さ方向とフェイス面とが平行となるように、長方形のシールをクラブヘッド４１ａに貼付することにより、フェイス面の方向をより正確に検出することができる。
【００７９】
また、上記実施形態においては、ドーナツ形状マークとしたが、上述した中央部と周囲部を有する限り、クラブヘッド計測用マークの形状はこれに限らず、たとえば２重の四角形や三角形など２重の多角形としてもよい。
【００８０】
さらに、たとえば複数のゴルフクラブ４１のフェイス面画像の群や軌道画像を生成する場合、ゴルフクラブ４１毎にクラブヘッド計測用マークの形状を変更するようにしてもよい。これにより、複数のゴルフクラブ４１を自動的に識別することができ、ゴルフクラブ４１毎にフェイス面画像の群や軌道画像を記憶および管理することができる。
【実施例１】
【００８１】
次に、上記本実施形態のドーナツ形状マークＭ１，Ｍ２の実施例および比較例を下表１に示す。なお、本発明はこれらの実施例のみに限定されるものではない。表１では、ドーナツ形状マークの中央部に使用される材料としての５種類の黒色シートＢＬ１〜ＢＬ５の最大輝度値、最小輝度値および最大輝度値と最小輝度値との差の計測結果と、各黒色シートＢＬ１〜ＢＬ５をドーナツ形状マークの中央部として使用した場合の検出精度を「高」および「低」で示している。また、図１３は、５種類の黒色シートＢＬ１〜ＢＬ５を撮影した撮影画像を示している。表２では、５種類の黒色シートＢＬ１〜ＢＬ５の撮影条件と照明条件を示している。
【００８２】
表１および図１３に示すように、実施例１（ＢＬ４）および実施例２（ＢＬ５）については、最大輝度値が３２以下であり、最大輝度値と最小輝度値との差が１５以下であり、ドーナツ形状マークの中央部として使用した場合、高精度な検出が可能であった。
【００８３】
実施例３（ＢＬ１）については、最大輝度値と最小輝度値との差は１５以下であるが、最大輝度値が３５であったので、ドーナツ形状マークの中央部として使用した場合、輝度値の高い部分がノイズとして検出され、検出精度は低かった。
【００８４】
実施例４（ＢＬ２）については、反射率が高く、最大輝度値が２５５であり、最大輝度値と最小輝度値との差も２３８以下であった。ドーナツ形状マークの中央部として使用した場合、輝度値の高い部分や輝度値の差の大きい部分がノイズとして検出され、検出精度は最も低かった。
【００８５】
実施例５（ＢＬ３）については、最大輝度値が３２を超えており、最大輝度値と最小輝度値との差も１５を超えていた。ドーナツ形状マークの中央部として使用した場合、輝度値の高い部分や輝度値の差の大きい部分がノイズとして検出され、検出精度は低かった。
【表１】
0006904624.tif 000002
【表２】
0006904624.tif 000003
【符号の説明】
【００８６】
１     ゴルフインパクト解析システム
１０   撮影装置
１１   照明部
１２   カメラ部
２０   画像処理装置
２１   画像生成部
２２   制御部
２３   表示部
２４   入力部
３０   投影装置
４０   ゴルファー
４１   ゴルフクラブ
４１ａ クラブヘッド
４１ｂ フェイス面
４２   ゴルフボール
ＢＬ１〜ＢＬ５       黒色シート
Ｃ     中央部
ＣＧ   ３次元オブジェクト画像
ＦＧ   フェイス面画像
ＦＧ１ フェイス面画像
ＦＧ２ フェイス面画像
Ｍ１，Ｍ２    ドーナツ形状マーク
Ｐ     設置位置
Ｐｈ   周囲部
Ｒ     撮影範囲
ＴＧ，ＴＧ１，ＴＧ２ 軌道画像
【要約】
【課題】クラブヘッドの状態に関する情報を高精度に得ることができるクラブヘッド計測用マークを提供する。
【解決手段】ゴルフクラブのクラブヘッドの状態に関する情報を計測するために用いられ、クラブヘッドに設けられるクラブヘッド計測用マークであって、周囲よりも明度が低いパターンから形成される中央部Ｃと、中央部Ｃの周囲を囲むように設けられ、中央部Ｃよりも明度が高いパターンから形成される周囲部Ｐｈとを備える。
【選択図】図３【図１】
0006904624.tif 000004
【図２】
0006904624.tif 000005
【図３】
0006904624.tif 000006
【図４】
0006904624.tif 000007
【図５】
0006904624.tif 000008
【図６】
0006904624.tif 000009
【図７】
0006904624.tif 000010
【図８】
0006904624.tif 000011
【図９】
0006904624.tif 000012
【図１０】
0006904624.tif 000013
【図１１】
0006904624.tif 000014
【図１２】
0006904624.tif 000015
【図１３】
0006904624.tif 000016